(57)【要約】【課題】光源交換時の感電の防止と内部配線の煩雑さの改善とを実現し、かつ光源装置の組立性を向上させる。【解決手段】ランプユニット３０を着脱自在に保持するランプハウス３１と外装ケースの後面３９ｃとの間には、フィンガーガード９０が設けられている。フィンガーガード９０は、ノイズフィルタと第１ＡＣ電源ラインとの電気的接続部とランプハウス３１とを仕切り、作業者の感電を防止する。また、フィンガーガード９０には、内部配線を保持する第１及び第２の２つのクランプ９４、９５が設けられている。各クランプ９４、９５は、シャーシ１００の床面からの高さが変えられている。これにより、配線後に電気的接続部の絶縁処理を行う必要がなくなり、かつ装置内の高さ方向のスペースを有効に活用して内部配線を容易に引き回すことができるので、光源装置の組立性が向上する。【選択図】図４
2009201924.tif 000002
【特許請求の範囲】
【請求項１】
内視鏡に照明光を供給する内視鏡用光源装置において、
一面に開口が形成された外装ケースと、
前記開口と対面するように前記一面に近接して配置され、前記照明光を発する光源を前記開口から交換可能に保持する光源保持部と、
略板状に形成され、電源の供給に用いられる電源用配線の電気的接続部と前記光源保持部とを仕切る仕切り部材と、
前記仕切り部材に設けられ、前記仕切り部材が固定される土台の床面に対して所定の高さに、前記電源用配線を含む内部配線を保持するための配線保持部材とを備えたことを特徴とする内視鏡用光源装置。
【請求項２】
前記一面は、略直方体の箱状に形成された前記外装ケースの右又は左の側面の一方であり、
前記仕切り部材は、前記外装ケースの後面と前記光源保持部との間に位置する前記電気的接続部と前記光源保持部とを仕切ることを特徴とする請求項１記載の内視鏡用光源装置。
【請求項３】
冷却風の送風方向が前記各側面と略平行になるように配置され、前記冷却風によって前記光源を冷却するファンを有し、
前記配線保持部材は、前記一面とは反対側の前記側面と前記ファンとの間の位置で前記内部配線を保持するように前記仕切り部材に設けられることを特徴とする請求項２記載の内視鏡用光源装置。
【請求項４】
前記配線保持部材は、前記ファンに電源を供給するファン用電源ラインを保持することを特徴とする請求項３記載の内視鏡用光源装置。
【請求項５】
前記光源保持部に前記光源の駆動電源を供給して前記光源を点灯させる点灯手段を有し、
前記配線保持部材は、前記点灯手段からの前記駆動電源を前記光源保持部に供給する高圧ケーブルを保持することを特徴とする請求項１から４のいずれか１項に記載の内視鏡用光源装置。
【請求項６】
前記内視鏡に送気送水用の空気を供給するポンプを有し、
前記配線保持部材は、前記ポンプから送り出される空気を搬送するエアチューブを保持することを特徴とする請求項１から５のいずれか１項に記載の内視鏡用光源装置。
【請求項７】
前記仕切り部材は、第１平板部と、この第１平板部の一端から略垂直に突出する第２平板部とを有するとともに、前記第１平板部の外側の面と前記光源保持部とが対面し、かつ前記第２平板部の外側の面と前記一面とが対面するように配置されることを特徴とする請求項１から６のいずれか１項に記載の内視鏡用光源装置。
【請求項８】
前記仕切り部材には、前記高さの異なる複数の前記配線保持部材が設けられることを特徴とする請求項１から７のいずれか１項に記載の内視鏡用光源装置。
【請求項９】
前記電源用配線が供給する電源は、電源コードを介して供給される交流の商用電源であることを特徴とする請求項１から８のいずれか１項に記載の内視鏡用光源装置。
【発明の詳細な説明】
【技術分野】
【０００１】
本発明は、内視鏡に照明光を供給する内視鏡用光源装置に関する。
【背景技術】
【０００２】
内視鏡は、体腔内を照明するための光源装置に接続される。光源装置は、光源が発した照明光を内視鏡の内部に形成されたライトガイドに入射させる。内視鏡は、入射した照明光をライトガイドによって案内し、体腔内に挿入される挿入部の先端から照射する。これにより、体腔内を観察する際に、体腔内が照明される。
【０００３】
光源装置の光源には、暗い体腔内を適切に照明するため、キセノンランプやハロゲンランプなどの高輝度のものが用いられる。こうした光源は、経時劣化によって光量が低下するため、定期的に交換する必要がある。光源の交換を行なう際、外装ケースや光源の保持部材などを分解することは、作業者にとって非常に煩わしい。このため、特許文献１では、光源をユニット化するとともに、この光源ユニットを着脱自在に保持するランプハウスと、ランプハウスにアクセスするための光源交換用扉とを光源装置に設け、光源交換用扉から光源ユニットごと光源を交換できるようにすることで、作業性の向上を図っている。
【特許文献１】特開２００４−２５４７６０号公報
【発明の開示】
【発明が解決しようとする課題】
【０００４】
上記のような光源装置には、組立性が悪いという問題がある。光源装置の組立性を低下させている要因の１つに、電源供給に用いられる配線の電気的接続部の絶縁処理がある。光源装置は、電源コードを介して供給される交流の商用電源（以下、ＡＣ電源と称す）を基に、光源を点灯させる。光源ユニットの交換を行なう場合、安全性を考慮すれば電源コードをコンセントから抜いた状態で作業を行なうことが好ましい。
【０００５】
ところが、多数の検査機器が設置されている検査室では、対象となる光源装置の電源コードを選択的に引き抜くことが難しく、他の機器の電源コードを誤って引き抜いてしまう恐れがある。また、光源装置がカートやラックなどに組み付けられている場合、電源コードに手が届き難いなど、電源コードを引き抜くこと自体が難しい場合がある。このため、実際の医療現場では、電源コードをコンセントに接続したまま光源ユニットの交換作業を行なってしまうことが多い。
【０００６】
ＡＣ電源を電源回路などに供給する配線（以下、ＡＣ電源ラインと称す）の電気的接続部が露呈していると、電源コードをコンセントに接続したまま光源ユニットの交換作業を行なった場合に、前記電気的接続部に不意に指が触れ、作業者が感電してしまう危険性がある。このため、光源装置では、ＡＣ電源ラインの電気的接続部に専用のカバーを設けたり、熱収縮チューブで覆ったりして、電気的接続部の絶縁処理を行う必要があるが、こうした絶縁処理が組立性を低下させる要因になっていた。また、専用のカバーなどを設けると、コストアップの要因にもなる。
【０００７】
光源装置の組立性を低下させている他の要因として、ＡＣ電源ラインを含む内部配線の引き回しがある。近年、光源装置を含む内視鏡システムでは、装置の小型化が進められており、これにともなって内部配線を引き回すスペースも減少する傾向にある。また、光源装置では、各配線を装置の床面にしか固定することができなかったため、部品間を縫うように這わせるなど、内部配線の引き回しがどうしても煩雑になり、こうした内部配線の引き回しの煩雑さが組立性を低下させる要因になっていた。
【０００８】
また、各配線を床面に一まとめにすると、信号ラインにＡＣ電源ラインなどが隣接し、信号ラインにノイズが乗り易くなるという問題も生じる。さらには、内視鏡に送気送水用の空気を供給する送気送水機能を備えた光源装置において各配線を床面に一まとめにすると、空気を搬送するエアチューブの経路が直線状にならないため、アップダウンや線長のロスから管路抵抗が大きくなってしまうという問題も生じる。そして、こうしたノイズや管路抵抗の問題は、各配線の引き回し具合によって異なるため、光源装置に個体差を与えてしまう要因にもなる。
【０００９】
内部配線の煩雑さの改善策として、内部配線を保持する専用の支柱などを設けて、各配線を床面以外のところにも固定できるようにすることが考えられる。しかしながら、こうした支柱などを別途設けると、当然、コストアップの要因になってしまう。
【００１０】
本発明は、上記課題を鑑みてなされたものであり、コストアップを招くことなく光源交換時の感電の防止と内部配線の煩雑さの改善とを実現し、かつ光源装置の組立性を向上させることを目的とする。
【課題を解決するための手段】
【００１１】
上記目的を達成するため、本発明の内視鏡用光源装置は、一面に開口が形成された外装ケースと、前記開口と対面するように前記一面に近接して配置され、前記照明光を発する光源を前記開口から交換可能に保持する光源保持部と、略板状に形成され、電源の供給に用いられる電源用配線の電気的接続部と前記光源保持部とを仕切る仕切り部材と、前記仕切り部材に設けられ、前記仕切り部材が固定される土台の床面に対して所定の高さに、前記電源用配線を含む内部配線を保持するための配線保持部材とを備えたことを特徴とする。
【００１２】
なお、前記一面は、略直方体の箱状に形成された前記外装ケースの右又は左の側面の一方であり、前記仕切り部材は、前記外装ケースの後面と前記光源保持部との間に位置する前記電気的接続部と前記光源保持部とを仕切ることが好ましい。
【００１３】
また、冷却風の送風方向が前記各側面と略平行になるように配置され、前記冷却風によって前記光源を冷却するファンを有し、前記配線保持部材は、前記一面とは反対側の前記側面と前記ファンとの間の位置で前記内部配線を保持するように前記仕切り部材に設けられることが好ましい。
【００１４】
さらに、前記配線保持部材は、前記ファンに電源を供給するファン用電源ラインを保持することが好ましい。
【００１５】
なお、前記光源保持部に前記光源の駆動電源を供給して前記光源を点灯させる点灯手段を有し、前記配線保持部材は、前記点灯手段からの前記駆動電源を前記光源保持部に供給する高圧ケーブルを保持することが好ましい。
【００１６】
また、前記内視鏡に送気送水用の空気を供給するポンプを有し、前記配線保持部材は、前記ポンプから送り出される空気を搬送するエアチューブを保持することが好ましい。
【００１７】
さらに、前記仕切り部材は、第１平板部と、この第１平板部の一端から略垂直に突出する第２平板部とを有するとともに、前記第１平板部の外側の面と前記光源保持部とが対面し、かつ前記第２平板部の外側の面と前記一面とが対面するように配置されることが好ましい。
【００１８】
なお、前記仕切り部材には、前記高さの異なる複数の前記配線保持部材が設けられることが好ましい。
【００１９】
また、前記電源用配線が供給する電源は、電源コードを介して供給される交流の商用電源であることが好ましい。
【発明の効果】
【００２０】
本発明では、電源用配線の電気的接続部と照明光を発する光源を交換可能に保持する光源保持部とを仕切る仕切り部材を設けた。仕切り部材は、指の進入を防止することで、光源を交換する作業者の感電を防ぐ。これにより、配線後に電気的接続部の絶縁処理を行う必要がなくなるので、内視鏡用光源装置の組立性が向上する。また、本発明では、内部配線を保持する配線保持部材を仕切り部材に設けた。これにより、内部配線を容易に引き回すことができるので、内視鏡用光源装置の組立性が向上する。さらに、仕切り部材は、構成が簡素であり、かつ配線保持部材を支持する支柱などを新たに設ける必要がないので、コストアップを抑えることもできる。
【発明を実施するための最良の形態】
【００２１】
図１は、内視鏡システム２の構成を概略的に示す斜視図である。内視鏡システム２は、患者の体腔内を撮影する電子内視鏡１０と、内視鏡画像を生成するプロセッサ装置（内視鏡用光源装置）１２と、内視鏡画像を表示するモニタ１４と、体腔内に送り込む水を貯留する送水タンク１６とからなる。プロセッサ装置１２は、内視鏡画像を生成する機能に加えて、体腔内を照明するための照明光を供給する機能と、送気送水用の空気を供給する機能とを有している。
【００２２】
電子内視鏡１０は、患者の体腔内に挿入される挿入部１８と、挿入部１８の基端部分に連設され、術者が手元で操作を行なう操作部２０と、この操作部２０から延びるユニバーサルコード２２とからなる。ユニバーサルコード２２の操作部２０と反対側の端部には、プロセッサ装置１２から供給される照明光、及び空気を取り込むための第１コネクタ２４と、電源や各種の制御信号の伝送に用いられる第２コネクタ２５とが設けられている。電子内視鏡１０は、これらの各コネクタ２４、２５を介してプロセッサ装置１２に着脱自在に接続される。
【００２３】
第１コネクタ２４には、送気送水チューブ２６が着脱自在に接続されるジョイントが設けられている。送水タンク１６は、この送気送水チューブ２６を介して第１コネクタ２４に接続される。プロセッサ装置１２から供給される空気は、第１コネクタ２４を介して電子内視鏡１０内に形成された送気チャンネルに送り込まれるとともに、送気送水チューブ２６に送り込まれる。送気送水チューブ２６には、プロセッサ装置１２から供給される空気を送水タンク１６に送り込んで送水タンク１６内に圧力を加える送気用の管路と、加えられた圧力によって押し出される送水タンク１６内の水を送り出す送水用の管路とが形成されている。この送水用の管路は、第１コネクタ２４で電子内視鏡１０内に形成された送水チャンネルに接続される。
【００２４】
電子内視鏡１０の送気チャンネル、及び送水チャンネルは、操作部２０に設けられた送気送水バルブ２７によって閉塞されている。送気送水バルブ２７は、２段階押下操作構造になっている。送気送水バルブ２７を１段階押下操作すると、送気チャンネルが開通し、プロセッサ装置１２から供給された空気が挿入部１８の先端に形成された送気送水口から吐出される。そして、送気送水バルブ２７を２段階押下操作すると、送気チャンネルが閉塞して送水チャンネルが開通し、送水タンク１６から送り出された水が送気送水口から吐出される。
【００２５】
図２は、プロセッサ装置１２の構成を概略的に示すブロック図である。プロセッサ装置１２は、照明光を発するキセノンランプ８０（図３参照）が取り付けられたランプユニット３０を着脱自在に保持するランプハウス（光源保持部）３１と、ランプハウス３１に冷却風を吹き付けてランプユニット３０を冷却するファン３２と、キセノンランプ８０の駆動電源をランプハウス３１に供給して照明光を点灯／消灯させる点灯装置（点灯手段）３３と、送気送水用の空気を供給するポンプ３４と、プロセッサ装置１２の各部を統括的に制御する制御回路３５と、電源コード３６を介して供給されるＡＣ電源のノイズを除去するノイズフィルタ３７と、ノイズフィルタ３７から出力されるＡＣ電源に対してＡＣ／ＤＣ変換や電圧変換を行い、プロセッサ装置１２の各部に供給する電源回路３８と、これらの各部を覆う外装ケース３９とを備えている。
【００２６】
外装ケース３９は、略直方体の箱状に形成されている。外装ケース３９の前面３９ａには、第１コネクタ２４が接続されるソケット部４０が設けられている。外装ケース３９の左側面３９ｂには、ランプハウス３１にアクセスしてランプユニット３０の交換を行なうためのアクセス開口４１と、このアクセス開口４１を塞ぐ閉じ位置（実線で示す位置）とアクセス開口４１を露呈させる開き位置（二点鎖線で示す位置）との間で移動するランプ交換用扉４２とが設けられている。ランプ交換用扉４２は、ヒンジを介して回動自在に外装ケース３９に取り付けられ、ヒンジを軸にして回転することで閉じ位置と開き位置とに移動する。
【００２７】
外装ケース３９の後面３９ｃには、電源コード３６のコネクタ部３６ａが着脱自在に接続される電源コネクタ４４が設けられている。電源コネクタ４４は、第１ＡＣ電源ライン（電源用配線）４６を介してノイズフィルタ３７に接続されている。ノイズフィルタ３７は、第２ＡＣ電源ライン４８を介して電源回路３８に接続されている。これにより、ノイズフィルタ３７によってノイズが除去されたＡＣ電源が電源回路３８に入力される。
【００２８】
ファン３２は、ファン用電源ライン５０を介して制御回路３５に接続されている。制御回路３５は、照明光を点灯させる際、点灯装置３３に照明光の点灯を指示するとともに、ファン用電源ライン５０を介してファン３２に電源を供給し、ファン３２を駆動させる。
【００２９】
点灯装置３３は、高圧ケーブル５２を介してランプハウス３１に接続されている。この点灯装置３３は、いわゆる定電流回路である。点灯装置３３は、制御回路３５から照明光の点灯が指示されると、電源回路３８から供給される電源を基に定電流を生成する。そして、高圧ケーブル５２を介して定電流をランプハウス３１に供給することにより、照明光を点灯させる。
【００３０】
ポンプ３４には、空気を搬送するエアチューブ５４が接続されている。エアチューブ５４は、一端がポンプ３４の空気吐出口に接続され、他端がソケット部４０の送気管路に接続される。これにより、ポンプ３４から送り出された空気が、エアチューブ５４、ソケット部４０、及び第１コネクタ２４を介して電子内視鏡１０の送気チャンネルに搬送される。
【００３１】
ランプハウス３１は、外装ケース３９の左側面３９ｂと近接し、かつランプユニット３０の挿入口７５（図３参照）がアクセス開口４１と対面するように配置されている。外装ケース３９の前面３９ａに設けられたソケット部４０は、接続された第１コネクタ２４のライトガイド棒の中心軸とランプユニット３０から発せられる照明光の光軸とが一致するように配置されている。
【００３２】
ランプハウス３１とソケット部４０との間には、集光レンズ６０とターレット６２とが設けられている。集光レンズ６０は、ソケット部４０に接続された第１コネクタ２４のライトガイド棒の光入射面に照明光を集光する。ターレット６２は、円板状に形成され、プロセッサ装置１２の内部に回動自在に保持される。このターレット６２には、ランプユニット３０が発する照明光を通過させる開口６２ａと、ランプユニット３０のキセノンランプ８０の発光が検査中に意図せず停止してしまった際に用いられる予備光源６２ｂとが設けられている。開口６２ａと予備光源６２ｂとは、ターレット６２の回転軸に対して同心円状に配置されている。
【００３３】
ターレット６２の回転軸は、照明光の光軸と平行になっている。そして、ターレット６２は、回転することによって開口６２ａと予備光源６２ｂとを照明光の光軸上に配置する。これにより、キセノンランプ８０が正常に発光している際には、開口６２ａを光軸上に配置することで、キセノンランプ８０の照明光を電子内視鏡１０に供給し、キセノンランプ８０に異常が生じた際には、予備光源６２ｂを光軸上に配置することで、予備光源６２ｂの照明光を電子内視鏡１０に供給することができる。
【００３４】
集光レンズ６０、及びターレット６２の右側には、干渉防止板６４が設けられている。この干渉防止板６４は、エアチューブ５４などの内部配線がターレット６２に絡まったり、内部配線が照明光を遮ったりすることを防止する。
【００３５】
図３に示すように、ランプハウス３１は、ベース板７０と、このベース板７０の一端部に取り付けられた側板７１と、この側板７１に取り付けられた上板７２と、この上板７２の側板７１と反対側の端部を支える一対の支柱７３、７４とによって、３面が開放された箱状に形成されている。ランプハウス３１の内部空間は、ランプユニット３０の外形に対応しており、ランプユニット３０が嵌入するように構成されている。
【００３６】
ランプハウス３１は、ベース板７０、上板７２、及び各支柱７３、７４で構成される開放面が、ランプユニット３０を挿抜する挿入口７５になっている。そして、前述のように、ランプハウス３１は、この挿入口７５がアクセス開口４１と対面するように配置される。残り２つの開放面のうち、外装ケース３９の後面３９ｃと向き合う開放面には、幅狭な直方体状の外形を有するファン３２が取り付けられている。ファン３２は、冷却風の送風方向が左側面３９ｂと平行になるように取り付けられる。これにより、ファン３２から吹き出された冷却風が、ランプハウス３１の内部空間を通って外装ケース３９の前面３９ａと向き合う開放面から抜け、ランプユニット３０が冷却される。また、前面３９ａと向き合う開放面は、冷却風の通気口になるとともに、保持したランプユニット３０から発せられる照明光の出射口になる。
【００３７】
側板７１の内面には、一対の電極７６、７７が設けられている。ランプユニット３０は、これらの各電極７６、７７を介して点灯装置３３から供給された電源をランプユニット３０に印加する。
【００３８】
ランプユニット３０は、キセノンランプ８０、ヒートシンク８１、８２、ランプホルダ８３、イジェクタ取付板８４、イジェクタ８５、８６、及びイジェクタロック８７、８８で構成されている。光源であるキセノンランプ８０は、ヒートシンク８１、８２に保持されて固定される。ヒートシンク８１、８２は、アルミニウムなどの熱伝導性の良い材料が用いられ、キセノンランプ８０の熱を効率よく放熱できるように多数のフィンが放射線状に形成されている。各ヒートシンク８１、８２は、キセノンランプ８０に電源を印加するための電極にもなっている。各ヒートシンク８１、８２は、ランプユニット３０をランプハウス３１に装着した際に、ランプハウス３１の各電極７６、７７と接触し、ランプハウス３１との電気的接続を得る。
【００３９】
各ヒートシンク８１、８２は、板状に形成されたランプホルダ８３に保持される。このランプホルダ８３には、エポキシ樹脂などの熱伝導性の低い材料が用いられる。ランプホルダ８３は、ランプユニット３０をランプハウス３１に装着した際に、挿入口７５を塞ぐ蓋になる。これにより、ランプホルダ８３は、ランプユニット３０の交換作業者などが、高温になったキセノンランプ８０や各ヒートシンク８１、８２に触れてしまうことを防止する。
【００４０】
ランプホルダ８３には、各ヒートシンク８１、８２が取り付けられた面と反対側の面に、イジェクタ取付板８４が固定されている。イジェクタ取付板８４には、その両端部に各イジェクタ８５、８６が揺動自在に取り付けられている。イジェクタ８５には、ランプハウス３１の支柱７３に係合する溝８５ａが形成されている。同様に、イジェクタ８６には、支柱７４に係合する溝８６ａが形成されている。
【００４１】
イジェクタ取付板８４には、各イジェクタ８５、８６の他に、各イジェクタロック８７、８８が揺動自在に取り付けられている。イジェクタロック８７には、イジェクタ８５に形成された係合突起８５ｂと係合する係合溝８７ａが形成されている。同様に、イジェクタロック８８には、イジェクタ８６に形成された係合突起８６ｂと係合する係合溝８８ａが形成されている。
【００４２】
ランプユニット３０をランプハウス３１に装着する際には、まず、図３に示すように、各イジェクタ８５、８６、及び各イジェクタロック８７、８８を起こした状態で、ランプユニット３０をランプハウス３１に挿入し、各電極７６、７７と各ヒートシンク８１、８２を接触させる。この後、各イジェクタ８５、８６を倒して各溝８５ａ、８６ａを各支柱７３、７４に係合させる。そして、各イジェクタロック８７、８８を倒し、各係合突起８５ｂ、８６ｂと、各係合溝８７ａ、８８ａとを係合させる。これにより、各イジェクタ８５、８６が固定され、図４に示すように、ランプユニット３０がランプハウス３１に装着される。
【００４３】
図２、及び図４に示すように、外装ケース３９の後面３９ｃとファン３２との間には、フィンガーガード（仕切り部材）９０が設けられている。フィンガーガード９０は、平板を略直角に折り曲げて成形され、第１平板部９１と、この第１平板部９１の一端から略垂直に突出する第２平板部９２とを有している。このような形状とすることにより、安価にフィンガーガード９０の強度を高めることができる。
【００４４】
フィンガーガード９０は、第１平板部９１の外側の面（第２平板部９２が突出する面と反対側の面）がランプハウス３１と対面し、かつ第２平板部９２の外側の面が左側面３９ｂと対面するように配置され、プロセッサ装置１２の土台であるシャーシ１００に固定される。
【００４５】
ノイズフィルタ３７と第１ＡＣ電源ライン４６との電気的接続部４６ａは、ランプハウス３１と後面３９ｃとの間に位置している。このため、電気的接続部４６ａが露呈していると、ランプユニット３０の交換の際に、不意に指が電気的接続部４６ａに触れ、作業者が感電してしまう危険性がある。フィンガーガード９０は、ランプハウス３１と電気的接続部４６ａとを仕切り、電気的接続部４６ａ側への指の進入を防止することによって、作業者の感電を防ぐ。
【００４６】
フィンガーガード９０の高さは、プロセッサ装置１２の内部空間の高さに応じて形成されており、内部空間の高さ方向の全域を塞ぐようにランプハウス３１と電気的接続部４６ａとを仕切る。第１平板部９１の横幅は、ファン３２の横幅よりも広く形成されている。第１平板部９１には、ファン３２の通気口となる開口９１ａが形成されている。また、外装ケース３９の後面３９ｃには、開口９１ａと略対面する位置に、複数の貫通孔からなる吸気口１０２が形成されている。
【００４７】
第１平板部９１には、第２平板部９２と反対側の端部に、第１及び第２の２つの屈曲部９１ｂ、９１ｃが形成されている。第１屈曲部９１ｂは、第１平板部９１の上端に接して形成されている。第２屈曲部９１ｃは、第１平板部９１の中央付近に形成されている。各屈曲部９１ｂ、９１ｃは、第１平板部９１に対して略直角に折り曲げられている。
【００４８】
第１屈曲部９１ｂには、プロセッサ装置１２の内部配線を保持する第１クランプ（配線保持部材）９４が設けられている。同様に、第２屈曲部９１ｃには、第２クランプ（配線保持部材）９５が設けられている。図５に示すように、第１クランプ９４は、ファン用電源ライン５０とエアチューブ５４とを保持する。一方、第２クランプ９５は、高圧ケーブル５２を保持する。また、各ＡＣ電源ライン４６、４８（図示は４８のみ）は、束線バンドなどによってシャーシ１００の床面１００ａに保持される。
【００４９】
このように、フィンガーガード９０は、各クランプ９４、９５により、床面１００ａからの高さを変えて各配線を保持する。また、各クランプ９４、９５は、ファン３２よりも幅広に形成された第１平板部９１の端部に設けられており、外装ケース３９の右側面３９ｄ（図２参照）とファン３２との間の位置で各配線を保持する。なお、各クランプ９４、９５が保持する内部配線は、上記に限定されるものではない。
【００５０】
従来は、第１ＡＣ電源ライン４６をノイズフィルタ３７に配線した後、その電気的接続部４６ａの絶縁処理を行う必要があった。これに対し、本実施形態では、フィンガーガード９０で指の進入を防止することにより、作業者の感電を防ぐので、配線後に絶縁処理を行う必要がなく、プロセッサ装置１２の組立性を向上させることができる。また、平板を折り曲げて成形されるフィンガーガード９０は、専用のカバーなどに比べて形状が簡素であるため、感電の防止にともなうコストアップを抑えることもできる。
【００５１】
また、従来は、各内部配線をシャーシ１００の床面１００ａに一まとめに固定していたため、内部配線の引き回しが煩雑になっていた。これに対し、本実施形態では、フィンガーガード９０に設けられた各クランプ９４、９５によって内部配線を保持できるようにした。これにより、装置内の高さ方向のスペースを有効に活用し、内部配線を容易に引き回すことができるので、プロセッサ装置１２の組立性を向上させることができる。
【００５２】
また、感電を防止するフィンガーガード９０に各クランプ９４、９５を設けたので、専用の支柱などを別途設ける必要がなく、部品点数を削減して、内部配線の煩雑さの改善にともなうコストアップを抑えることができる。さらに、内部配線の引き回しを容易にすることで、内部配線の引き回し具合にバラツキが生じることが抑えられるので、プロセッサ装置１２に個体差が生じることも防ぐことができる。なお、配線にフェライトコアを取り付ける場合には、フェライトコアをフィンガーガード９０で保持するようにしてもよい。
【００５３】
また、床面１００ａからの高さを変えて複数のクランプ９４、９５を設けることにより、各配線の間隔を適切に空けることができるので、配線同士の電磁干渉にともなうノイズを防止することもできる。さらに、エアチューブ５４を適切な高さのクランプ９４、９５に保持させることにより、エアチューブ５４を直線的に引き回すことができるので、アップダウンや線長のロスにともなう管路抵抗を抑えることができる。
【００５４】
また、本実施形態では、各クランプ９４、９５が、右側面３９ｄとファン３２との間の位置で各配線を保持するようにした。これにより、内部配線がファン３２に掛かることが防止され、吸気口１０２から開口９１ａを介してファン３２へと至るファン３２の風の通り道が適切に確保されるので、ランプユニット３０を効率よく冷却することができる。
【００５５】
なお、上記実施形態では、第１平板部９１と第２平板部９２とからなるフィンガーガード９０を仕切り部材として示したが、仕切り部材の形状は、これに限ることなく、電気的接続部と光源保持部とを仕切れるものであれば、如何なる形状でもよい。また、上記実施形態では、電源用配線の電気的接続部として、ノイズフィルタ３７と第１ＡＣ電源ライン４６との電気的接続部４６ａを示したが、電気的接続部は、これに限ることなく、例えば、電源コネクタ４４と第１ＡＣ電源ライン４６との電気的接続部など、プロセッサ装置１２の主電源を落した状態でも感電の恐れがあり、かつランプユニット３０の交換時に触れてしまいそうなものであれば、如何なるものでもよい。さらに、上記実施形態では、電源用配線が供給する電源としてＡＣ電源を示したが、これに限ることなく、例えば、電池から供給される電源でもよい。
【００５６】
なお、上記実施形態では、アクセス開口４１を外装ケース３９の左側面３９ｂに形成したが、これに限ることなく、右側面や上面など外装ケース３９の任意の面に形成して良い。また、上記実施形態では、光源であるキセノンランプ８０を保持したランプユニット３０を着脱自在に保持するランプハウス３１を光源保持部として示したが、光源保持部は、これに限ることなく、光源自体を着脱自在に保持するものでもよい。さらに、光源は、キセノンランプ８０に限ることなく、例えば、ハロゲンランプやメタルハライドランプなどでもよい。
【００５７】
なお、上記実施形態では、電子内視鏡１０を内視鏡として示したが、内視鏡は、これに限ることなく、例えば、超音波内視鏡などでもよい。また、上記実施形態では、患者を被検体とする医療用の内視鏡を示したが、内視鏡は、これに限ることなく、配管などを被検体とする工業用のものでもよい。また、上記実施形態では、電子内視鏡１０を着脱自在にしたが、洗浄の必要がない工業用の内視鏡に本発明を適用する場合には、内視鏡が一体になっていてもよい。さらに、上記実施形態では、光源装置の機能と送気送水装置の機能とを備えたプロセッサ装置１２に本発明を適用した例を示したが、本発明は、これに限ることなく、プロセッサ装置や送気送水装置と別体になった光源装置に適用してよい。
【図面の簡単な説明】
【００５８】
【図１】内視鏡システムの構成を概略的に示す斜視図である。
【図２】プロセッサ装置の構成を概略的に示すブロック図である。
【図３】ランプユニットとランプハウスとの構成を示す斜視図である。
【図４】ランプユニットがランプハウスに装着された状態を示す斜視図である。
【図５】内部配線の保持の一例を示す説明図である。
【符号の説明】
【００５９】
２  内視鏡システム
１０  電子内視鏡
１２  プロセッサ装置（内視鏡用光源装置）
３０  ランプユニット
３１  ランプハウス（光源保持部）
３２  ファン
３３  点灯装置（点灯手段）
３４  ポンプ
３６  電源コード
３９  外装ケース
３９ｂ  左側面
３９ｃ  後面
４１  アクセス開口
４６  第１ＡＣ電源ライン（電源用配線）
４６ａ  電気的接続部
５０  ファン用電源ライン
５２  高圧ケーブル
５４  エアチューブ
８０  キセノンランプ（光源）
９０  フィンガーガード（仕切り部材）
９４  第１クランプ（配線保持部材）
９５  第２クランプ（配線保持部材）
１００  シャーシ（土台）
１００ａ  床面
【図１】
2009201924.tif 000003
【図２】
2009201924.tif 000004
【図３】
2009201924.tif 000005
【図４】
2009201924.tif 000006
【図５】
2009201924.tif 000007